(57)【要約】      （修正有）【課題】支持部材によって形態を変え、異なる機能を提供できるスクーターを提供する。【解決手段】第１の接続部１１０と、前輪１２１、１２２を有する第１の部１２０と、を含むレバー１００と、第１の固定孔を有する第１の支持ボード２１０と、第１の支持ボード２１０に枢着される第１の後輪２１１と、第２の固定孔２２２を有する第２の支持ボード２２０と、第２の支持ボード２２０に枢着される第２の後輪２２１と、第１の回転軸Ａ１によって第１の支持ボード２１０に枢着され、第２の回転軸Ａ２によって第２の支持ボード２２０に枢着される第２の接続部２３０と、第１の固定孔及び第２の固定孔２２２を貫通して固定するための第１の固定部材と、を含む支持部材２００と、を備え、第１の接続部１１０は第３の回転軸Ａ３によって第２の接続部２３０に枢着され、第１の回転軸Ａ１は第２の回転軸Ａ２に平行であり且つ第３の回転軸Ａ３に垂直である。【選択図】図１
0003227388.tif 000002
【実用新案登録請求の範囲】
【請求項１】
第１の接続部と、前記第１の接続部に接続され、少なくとも１つの前輪を有する第１の部と、を含むレバーと、
少なくとも１つの第１の固定孔を有する第１の支持ボードと、前記第１の支持ボードに枢着され、前記第１の固定孔と同じ側に位置する第１の後輪と、少なくとも１つの第２の固定孔を有する第２の支持ボードと、前記第２の支持ボードに枢着され、前記第２の固定孔と同じ側に位置する第２の後輪と、第１の回転軸によって前記第１の支持ボードに枢着され、第２の回転軸によって前記第２の支持ボードに枢着される第２の接続部と、前記第１の固定孔及び前記第２の固定孔を貫通して固定するための少なくとも１つの第１の固定部材と、を含む支持部材と、
を備え、
前記第１の接続部は第３の回転軸によって前記第２の接続部に枢着され、前記第１の回転軸は前記第２の回転軸に平行であり且つ前記第３の回転軸に垂直であり、前記第１の接続部及び前記第２の接続部が回転して前記レバー及び前記支持部材を展開させる場合、前記前輪、記第１の後輪及び前記第２の後輪は同じ方向に向かうスクーター。
【請求項２】
前記第１の後輪が第４の回転軸によって前記第１の支持ボードに枢着され、前記第２の後輪が第５の回転軸によって前記第２の支持ボードに枢着され、前記第４の回転軸が前記第１の回転軸に平行であり、前記第５の回転軸が前記第２の回転軸に平行である請求項１に記載のスクーター。
【請求項３】
前記第１の支持ボードは、前記第３の回転軸に平行である第６の回転軸によって前記第１の後輪に近接する一端に枢着される第２の固定部材を含み、前記第１の固定孔が前記第２の接続部と前記第１の後輪との間に位置し、前記第２の固定孔が前記第２の接続部と前記第２の後輪との間に位置し、前記第１の固定部材が前記第１の固定孔及び前記第２の固定孔を貫通して固定する場合、前記第２の固定部材は、前記第１の後輪と前記第２の後輪との間に回転して前記第１の後輪の第４の回転軸に沿った回転及び前記第２の後輪の第５の回転軸に沿った回転を制限することに適し、前記第４の回転軸が前記第１の回転軸に平行であり、前記第５の回転軸が前記第２の回転軸に平行である請求項１に記載のスクーター。
【請求項４】
前記第１の支持ボードは、前記第１の支持ボードの頂部に配置される第１の支持平面と、前記第１の支持ボードの底部に配置され、且つ前記第１の固定孔により貫通される第１のリブと、を含み、
前記第２の支持ボードは、前記第２の支持ボードの頂部に配置される第２の支持平面と、前記第２の支持ボードの底部に配置され、且つ前記第２の固定孔により貫通される第２のリブと、を含み、
前記第１の支持平面の法線ベクトルと前記第２の支持平面の法線ベクトルとが全て第１の方向に平行であり、且つ前記第１の固定部材が前記第１の固定孔及び前記第２の固定孔を貫通して固定する場合、前記第１のリブ及び前記第２のリブは第２の方向に沿って延伸し、前記第１の固定孔及び前記第２の固定孔は第３の方向に沿って延伸し、且つ前記第１の方向、前記第２の方向及び前記第３の方向が互いに垂直である請求項１に記載のスクーター。
【請求項５】
２つの延伸ハンドルと、
２つの第３の固定部材と、
を備え、
且つ前記レバーは、前記第１の部に対向し、それぞれ第１の接続端を有する２つの水平ハンドルを有する第２の部を含み、
前記第３の固定部材の各々は、前記２つの第１の接続端の一方を前記２つの延伸ハンドルの一方に接続することに用いられる請求項１に記載のスクーター。
【請求項６】
前記延伸ハンドルの各々は、
第１のハンドル部と、
第２のハンドル部と、
前記第１のハンドル部及び前記第２のハンドル部に接続される第１の折り曲げ部と、
第３のハンドル部と、
前記第２のハンドル部及び前記第３のハンドル部に接続される第２の折り曲げ部と、
を含み、
且つ前記延伸ハンドルの形状がＵ字状であり、前記延伸ハンドルが前記２つの前記水平ハンドルの一方に接続される場合、前記第１のハンドル部、前記第３のハンドル部及び前記水平ハンドルは実質的に平行である請求項５に記載のスクーター。
【請求項７】
前記第２の接続部は、
前記第１の支持ボード及び前記第２の支持ボードに枢着される接続ベースと、
前記第１の接続部に枢着され、前記第１の回転軸に平行である第７の回転軸によって前記接続ベースに枢着される接続ブラケットと、
を有する請求項１に記載のスクーター。
【請求項８】
前記第１の部は、水平フレーム及び２つの前記前輪を更に含み、且つ前記水平フレームが２つの前記前輪に枢着され前記第１の接続部に接続される請求項１に記載のスクーター。
【考案の詳細な説明】
【技術分野】
【０００１】
本考案は、乗り物に関し、特に、スクーターに関する。
【背景技術】
【０００２】
従来の歩き代わりの乗り物において、使用者によって地面を踏み込んで進むスクーターは、常に広く使用される乗り物の一つである。使い勝手が良く、軽くて、また折り畳み機能を有することができ、収納しやすい。そのため、スクーターは、従来から、児童が楽しめる主要な商品の一つである。
【０００３】
しかしながら、児童の楽しめるスクーターの高低や大小も児童の年齢や高低に従って変わる必要があり、年齢に応じて新しいスクーターを交換すれば、大量の廃棄物が出る。現在のスクーターも伸縮長さのハンドルを有してよいが、ハンドルの構造強度も相対的に低下し、危険をもたらしやすい。従来のスクーターの使用形態も単一であり、児童の成長に従って変わる楽しみの需要を満たすことは困難である。そのため、形態及び楽しみ形態を変更可能なスクーターを如何に提供するかも、本分野で解決しようとする主要な問題の一つである。
【考案の概要】
【考案が解決しようとする課題】
【０００４】
本考案の提出するスクーターは、様々な形態を有し、様々な機能を提供することができる。
【課題を解決するための手段】
【０００５】
本考案の一実施例に係るスクーターは、第１の接続部と、第１の接続部に接続され、少なくとも１つの前輪を有する第１の部と、を含むレバーと、少なくとも１つの第１の固定孔を有する第１の支持ボードと、第１の支持ボードに枢着され、第１の固定孔と同じ側に位置する第１の後輪と、少なくとも１つの第２の固定孔を有する第２の支持ボードと、第２の支持ボードに枢着され、第２の固定孔と同じ側に位置する第２の後輪と、第１の回転軸によって第１の支持ボードに枢着され、第２の回転軸によって第２の支持ボードに枢着される第２の接続部と、第１の固定孔及び第２の固定孔を貫通して固定するための少なくとも１つの第１の固定部材と、を含む支持部材と、を備え、第１の接続部は第３の回転軸によって第２の接続部に枢着され、第１の回転軸は第２の回転軸に平行であり第３の回転軸に垂直であり、第１の接続部及び第２の接続部が回転してレバー及び支持部材を展開させる場合、前輪、第１の後輪及び第２の後輪は同じ方向に向かう。
【考案の効果】
【０００６】
上記から分かるように、本考案の実施例のスクーターは、支持部材によって異なる形態を提供することができる。支持部材の第１の支持ボードと第２の支持ボードとは、互いに分離し、又は第１の固定部材によって固定されることで、スクーターの形態を変え、異なる機能を提供する。
【図面の簡単な説明】
【０００７】
【図１】本考案の一実施例におけるスクーターの斜視模式図である。
【図２】本考案の一実施例におけるスクーターの斜視模式図である。
【図３】本考案の一実施例におけるスクーターの概略部分底面図である。
【図４】本考案の一実施例におけるスクーターの別の斜視模式図である。
【図５】本考案の一実施例におけるスクーターの部分斜視模式図である。
【図６】本考案の一実施例に係るスクーターの部分斜視分解模式図である。
【考案を実施するための形態】
【０００８】
本考案の実施例の提出するスクーターは、様々な形態を有し、様々な機能を提供することができ、児童による使用に適するが、本考案はこれに限定されない。他の実施例において、スクーターは、成人による使用にも適する。本考案は、スクーターの大小、高度及び使用対象を限定しない。
【０００９】
図１及び図２は、本考案の一実施例におけるスクーターの斜視模式図であり、図１は第１の形態の模式図であり、図２は第２の形態の模式図である。図１を参照すると、本実施例において、スクーター１０は、レバー１００と、支持部材２００と、を備える。
【００１０】
レバー１００は、第１の接続部１１０と、第１の部１２０と、を含む。第１の部１２０は、第１の接続部１１０に接続され、また前輪１２１、１２２を有する。
【００１１】
支持部材２００は、第１の支持ボード２１０と、第１の後輪２１１と、第２の支持ボード２２０と、第２の後輪２２１と、第２の接続部２３０と、を含む。第１の接続部１１０は、第３の回転軸Ａ３によって第２の接続部２３０に枢着される。第１の接続部１１０は、第３の回転軸Ａ３に沿って第２の接続部２３０において回転することができる。
【００１２】
第１の支持ボード２１０が第２の接続部２３０に枢着され、且つ第１の後輪２１１が第１の支持ボード２１０に枢着される。第２の支持ボード２２０が第２の接続部２３０に枢着され、且つ第２の後輪２２１が第２の支持ボード２２０に枢着される。第１の後輪２１１は第１の支持ボード２１０の底部２１０Ｂに位置してよく、第２の後輪２２１は、第２の支持ボード２２０の底部２２０Ｂに位置してよい。その同時に、支持部材２００が第２の接続部２３０によって第１の接続部１１０に枢着され、第１の後輪２１１及び第２の接続部２３０がそれぞれ第１の支持ボード２１０の対向する両端に近接し、第２の後輪２２１及び第２の接続部２３０がそれぞれ第２の支持ボード２２０の対向する両端に近接する。第１の接続部１１０及び第２の接続部２３０は、回転して、支持部材２００及びレバー１００を展開させることができる。この場合、前輪１２１、前輪１２２、第１の後輪２１１及び第２の後輪２２１は、全て同じ方向に向かうことができる（ここで、第１の方向ｄ１を例として）ため、児童を安全且つ安定に支持することができる。つまり、第２の接続部２３０が第３の回転軸Ａ３に沿って回転して第１の後輪２１１及び第２の後輪２２１をレバー１００から離れさせる場合、前輪１２１、前輪１２２、第１の後輪２１１及び第２の後輪２２１は、全て同じ方向に向かってよい（ここで、第１の方向ｄ１を例として）。
【００１３】
一方、第２の接続部２３０が第１の回転軸Ａ１によって第１の支持ボード２１０に枢着される。第２の接続部２３０が第２の回転軸Ａ２によって第２の支持ボード２２０に枢着される。第１の回転軸Ａ１が第２の回転軸Ａ２に平行であるため、第１の支持ボード２１０及び第２の支持ボード２２０は、第２の接続部２３０において回転してスクーター１０を第２の形態に変えることができる。特に説明すべきなのは、本実施例の支持部材２００は、第２の接続部２３０に近接する一端において、第１の支持ボード２１０及び第２の支持ボード２２０の各々が第１の回転軸Ａ１及び第２の回転軸Ａ２に沿って回転できるように、第１の支持ボード２１０の一部が第２の支持ボード２２０の一部に嵌設されてよい。
【００１４】
具体的には、図１を参照すると、第１の形態の場合に、第１の支持ボード２１０と第２の支持ボード２２０とが互いに隣接する。図２を参照すると、第２の形態の場合に、第１の支持ボード２１０と第２の支持ボード２２０とが互いに分離する。
【００１５】
例としては、スクーター１０は、第２の形態の場合、カエル型のスクーターとなってよい。児童は、その上に立って順に第１の支持ボード２１０及び第２の支持ボード２２０を開閉し又は揺れることで進むことができる。
【００１６】
図２を参照すると、第１の支持ボード２１０は、第１の後輪２１１と同じ側に位置する第１の固定孔２１２及び第１の固定孔２１３を有する。第２の支持ボード２２０は、第２の後輪２２１と同じ側に位置する第２の固定孔２２２及び第２の固定孔２２３を有する。
【００１７】
図３は、本考案の一実施例におけるスクーターの概略部分底面図であり、且つ第１の形態の場合の概略底面図である。図３を参照すると、支持部材２００は、第１の固定部材２４０及び第１の固定部材２４１を更に含む。第１の固定孔２１２の位置と第２の固定孔２２２の位置とが対応し、第１の固定孔２１３の位置と第２の固定孔２２３の位置とが対応する。そのため、第１の固定部材２４０は第１の固定孔２１２及び第２の固定孔２２２を貫通して固定することができ、第１の固定部材２４１は第１の固定孔２１３及び第２の固定孔２２３を貫通して固定することができる。図２に合わせて参照すると、第１の固定孔２１２及び第１の固定孔２１３は第２の接続部２３０と第１の後輪２１１との間に位置し、且つ第２の固定孔２２２及び第２の固定孔２２３は第２の接続部２３０と第２の後輪２２１との間に位置する。
【００１８】
そのため、本実施例のスクーター１０は、第１の形態において、更に、第１の固定部材２４０及び第１の固定部材２４１によって第１の支持ボード２１０と第２の支持ボード２２０との間の相対位置を固定することができる。
【００１９】
図４は、本考案の一実施例におけるスクーターの別の斜視模式図であり、且つスクーターの第３の形態の場合の斜視模式図である。図４を参照すると、第１の接続部１１０と第２の接続部２３０とが第３の回転軸Ａ３によって枢着されることができ、且つ第１の回転軸Ａ１と第２の回転軸Ａ２とが互いに平行であり、第１の回転軸Ａ１と第３の回転軸Ａ３とが垂直である。そのため、便利に収納できるように、支持部材２００が第２の接続部２３０によって第３の回転軸Ａ３に沿って回転することで、支持部材２００をレバー１００を近づかせることができる。
【００２０】
詳しくは、図３を参照すると、本実施例の第１の支持ボード２１０は第１のリブ２５０を含み、且つ第１の固定孔２１２及び第１の固定孔２１３が第１のリブ２５０を貫通する。第２の支持ボード２２０は第２のリブ２５１を含み、且つ第２の固定孔２２２及び第２の固定孔２２３が第２のリブ２５１を貫通する。第１の形態において、第１のリブ２５０及び第２のリブ２５１は第２の方向ｄ２に沿って延伸してよいが、第１の固定孔２１２、第１の固定孔２１３、第２の固定孔２２２及び第２の固定孔２２３は第３の方向ｄ３に沿って延伸してよい。第２の方向ｄ２が第３の方向ｄ３に垂直であるため、第１の固定部材２４０及び第１の固定部材２４１は、第１の支持ボード２１０と第２の支持ボード２２０との間の相対位置を適当に固定することができる。
【００２１】
図２を参照すると、第１の支持ボード２１０は、第１の支持平面２１０Ｐを含む。第２の支持ボード２２０は、第２の支持平面２２０Ｐを含む。第１の支持平面２１０Ｐが第１の支持ボード２１０の頂部２１０Ｔに配置される。第１のリブ２５０が第１の支持ボード２１０の底部２１０Ｂに配置される。第２の支持平面２２０Ｐが第２の支持ボード２２０の頂部２２０Ｔに配置される。第２のリブ２５１が第２の支持ボード２２０の底部２２０Ｂに配置される。
【００２２】
また図１を参照すると、第１の形態の場合に、第１のリブ２５０（図２、図３参照）及び第２のリブ２５１が第２の方向ｄ２に沿って延伸し、第１の固定孔２１２（図２、図３参照）、第１の固定孔２１３（図２、図３参照）、第２の固定孔２２３（図２、図３参照）及び第２の固定孔２２２が第３の方向ｄ３に沿って延伸する。第１の支持平面２１０Ｐの法線ベクトルと第２の支持平面２２０Ｐの法線ベクトルのいずれも第１の方向ｄ１に平行である。第１の方向ｄ１、第２の方向ｄ２及び第３の方向ｄ３が互いに垂直である。
【００２３】
そのため、図３を参照すると、第１の固定部材２４０及び第１の固定部材２４１は、第１の支持ボード２１０及び第２の支持ボード２２０を固定することができる。その同時に、第１のリブは、第１の支持ボード２１０の構造強度を強化することができる。第２のリブ２５１は第２の支持ボード２２０の構造強度を強化することができ、且つ第１のリブ２５０及び第２のリブ２５１は児童の踏み位置を占有しない。
【００２４】
図２を参照すると、第１の後輪２１１が第４の回転軸Ａ４によって第１の支持ボード２１０に枢着される。第２の後輪２２１が第５の回転軸Ａ５によって第２の支持ボード２２０に枢着される。第４の回転軸Ａ４が第１の回転軸Ａ１に平行である。第５の回転軸Ａ５が第２の回転軸Ａ２に平行である。そのため、第１の支持ボード２１０及び第２の支持ボード２２０は、より容易に開閉され又は揺れられることができる。
【００２５】
図１を参照すると、第１の支持ボード２１０は、第２の固定部材２１４を更に含んでよい。第２の固定部材２１４は、第６の回転軸Ａ６によって第１の後輪２１１に近接する一端に枢着される。第６の回転軸Ａ６が第３の回転軸Ａ３に平行である。
【００２６】
図５は、本考案の一実施例におけるスクーターの部分斜視模式図であり、且つ第１の形態で底部２１０Ｂ及び底部２２０Ｂに面する斜視模式図である。図５を参照すると、第２の固定部材２１４が第６の回転軸Ａ６に沿って第１の後輪２１１と第２の後輪２２１との間に回転すると、第１の後輪２１１の第４の回転軸Ａ４に沿った回転及び第２の後輪２２１の第５の回転軸Ａ５に沿った回転は、第２の固定部材２１４により制限される。
【００２７】
詳しくは、第１の後輪２１１は第１のフォーク２１１Ａ及び第１の輪２１１Ｂを含むが、第２の後輪２２１は第２のフォーク２２１Ａ及び第２の輪２２１Ｂを含む。第１のフォーク２１１Ａ及び第１の支持ボード２１０が第４の回転軸Ａ４に沿って回転することができる。第２のフォーク２２１Ａ及び第２の支持ボード２２０が第５の回転軸Ａ５に沿って回転することができる。
【００２８】
第２の固定部材２１４は、第１のフォーク２１１Ａ及び第２のフォーク２２１Ａを当接し制限して、第１の輪２１１Ｂ及び第２の輪２２１Ｂの回転する回転軸を第６の回転軸Ａ６に平行させることができる。
【００２９】
図１を参照すると、第２の接続部２３０は、第３の回転軸Ａ３に沿って回転できるように、第１の接続部１１０に枢着される接続ブラケット２３０Ａを有する。第２の接続部２３０は、第１の支持ボード２１０及び第２の支持ボード２２０に枢着される接続ベース２３０Ｂを更に含む（図３参照）。接続ブラケット２３０Ａが第７の回転軸Ａ７によって接続ベース２３０Ｂ（図３参照）に枢着される。第７の回転軸Ａ７が第１の回転軸Ａ１に平行である。
【００３０】
そのため、第１の形態において、第２の接続部２３０は、レバー１００を第７の回転軸Ａ７に沿って回転させることができる。
【００３１】
一方、第１の部１２０は、前輪１２１及び前輪１２２に枢着され、且つ第１の接続部１１０に接続される水平フレーム１２３を含む。
【００３２】
レバー１００は、第２の部１３０を含む。第１の部１２０は、第２の部１３０に対向する。第２の部１３０は、水平ハンドル１３１及び水平ハンドル１３２を有する。例としては、スクーター１０が第１の形態で直進する場合、水平フレーム１２３は、第３の方向ｄ３に沿って前輪１２１及び前輪１２２に枢着されることができ、且つ水平ハンドル１３１及び水平ハンドル１３２も第３の方向ｄ３に沿って延伸することができる。
【００３３】
スクーター１０は、延伸ハンドル１３３、延伸ハンドル１３４、第３の固定部材１３５及び第３の固定部材１３６を更に備えてよい。図６は、本考案の一実施例に係るスクーターの部分斜視分解模式図である。図６を参照すると、本実施例において、水平ハンドル１３１は第１の接続端１３１Ｃを有し、水平ハンドル１３２は第１の接続端１３２Ｃを有する。第３の固定部材１３５は第１の接続端１３１Ｃを延伸ハンドル１３３に接続することに用いられるが、第３の固定部材１３６は第１の接続端１３２Ｃを延伸ハンドル１３４に接続することに用いられる。
【００３４】
延伸ハンドル１３３は、第１のハンドル部１３３Ａ、第２のハンドル部１３３Ｃ、第１の折り曲げ部１３３Ｂ、第３のハンドル部１３３Ｅ及び第２の折り曲げ部１３３Ｄを含む。延伸ハンドル１３４は、第１のハンドル部１３４Ａ、第２のハンドル部１３４Ｃ、第１の折り曲げ部１３４Ｂ、第３のハンドル部１３４Ｅ及び第２の折り曲げ部１３４Ｄを含む。延伸ハンドル１３３を例として、第１の折り曲げ部１３３Ｂが第１のハンドル部１３３Ａ及び第２のハンドル部１３３Ｃに接続される。第２の折り曲げ部１３３Ｄが第２のハンドル部１３３Ｃ及び第３のハンドル部１３３Ｅに接続される。
【００３５】
本実施例において、延伸ハンドル１３３及び延伸ハンドル１３４の形状がＵ字状であり、第３の固定部材１３５は第１のハンドル部１３３Ａを第１の接続端１３１Ｃに接続し、第３の固定部材１３６は第１のハンドル部１３４Ａを第１の接続端１３２Ｃに接続する。第１のハンドル部１３３Ａ、第３のハンドル部１３３Ｅ及び水平ハンドル１３１は、実質的に全て第３の方向ｄ３に平行であり且つ互いに異なる高度を有する。第１のハンドル部１３４Ａ、第３のハンドル部１３４Ｅ及び水平ハンドル１３２は、実質的に全て第３の方向ｄ３に平行であり且つ互いに異なる高度を有する。
【００３６】
そのため、スクーター１０は、延伸ハンドル１３３及び延伸ハンドル１３４によって、異なる高さの児童に操作されることができる。
【００３７】
以上をまとめると、本考案の実施例のスクーターは、支持部材によって異なる形態を提供することができる。児童が開閉し又は揺れて進むように、支持部材の第１の支持ボードと第２の支持ボードとは、互いに分離することができる。児童が蹴り出して進むように、支持部材は、更に、第１の固定部材によって固定されることができる。そのため、本考案の実施例のスクーターは、様々な形態を有することができ、様々な異なる機能を提供することができる。
【符号の説明】
【００３８】
Ａ１  第１の回転軸
Ａ２  第２の回転軸
Ａ３  第３の回転軸
Ａ４  第４の回転軸
Ａ５  第５の回転軸
Ａ６  第６の回転軸
Ａ７  第７の回転軸
ｄ１  第１の方向
ｄ２  第２の方向
ｄ３  第３の方向
１０  スクーター
１００  レバー
１１０  第１の接続部
１２０  第１の部
１２１、１２２  前輪
１２３  水平フレーム
１３０  第２の部
１３１、１３２  水平ハンドル
１３１Ｃ、１３２Ｃ  第１の接続端
１３３、１３４  延伸ハンドル
１３３Ａ、１３４Ａ  第１のハンドル部
１３３Ｂ、１３４Ｂ  第１の折り曲げ部
１３３Ｃ、１３４Ｃ  第２のハンドル部
１３３Ｄ、１３４Ｄ  第２の折り曲げ部
１３３Ｅ、１３４Ｅ  第３のハンドル部
１３５、１３６  第３の固定部材
２００  支持部材
２１０  第１の支持ボード
２１０Ｂ、２２０Ｂ  底部
２１０Ｐ  第１の支持平面
２１０Ｔ、２２０Ｔ  頂部
２１１  第１の後輪
２１１Ａ  第１のフォーク
２１１Ｂ  第１の輪
２１２、２１３  第１の固定孔
２１４  第２の固定部材
２２０  第２の支持ボード
２２０Ｐ  第２の支持平面
２２１  第２の後輪
２２１Ａ  第２のフォーク
２２１Ｂ  第２の輪
２２２、２２３  第２の固定孔
２３０  第２の接続部
２３０Ａ  接続ブラケット
２３０Ｂ  接続ベース
２４０、２４１  第１の固定部材
２５０  第１のリブ
２５１  第２のリブ
【図１】
0003227388.tif 000003
【図２】
0003227388.tif 000004
【図３】
0003227388.tif 000005
【図４】
0003227388.tif 000006
【図５】
0003227388.tif 000007
【図６】
0003227388.tif 000008